(57)【要約】【課題】目的の無線チャンネルの電波状態を確認して、無線環境の変化に適合した新無線チャンネルの設定を行うことで、電池寿命を極端に短くすることなく、信頼性の高い無線テレメータシステムを提供する。【解決手段】無線親機又は無線子機が、待機時に目的の無線チャンネルの電波を確認し（Ｓ３０１）、当該設定の無線チャンネルの電波が間欠の受信動作にて電波の確認はできたが当該無線チャンネルでの受信動作で正しくデータを読み取れなかった状況が発生した場合（Ｓ３０３で異常判定）には、その当該状況の発生回数を記憶し（Ｓ３１２）、そうして記憶した情報から設定チャンネルの対環境性が判断される。無線通信状態が不具合となる状況が頻繁に生じていれば（Ｓ３１３でＹＥＳ）、対環境性が良好ではないと判断される（Ｓ３１４）。【選択図】図３
2008205952.tif 000002
【特許請求の範囲】
【請求項１】
センター網制御装置に電話網を介して接続された端末網制御装置と、前記端末網制御装置に有線接続された無線親機と、無線子機に有線接続されたメータとによって構成され、前記無線親機と前記無線子機は特定小電力無線方式の無線通信を行い、無線通信の待機時に省電力のために間欠的な受信動作を行う無線テレメータシステムにおいて、
前記無線親機又は前記無線子機は、前記待機時に、目的の無線チャンネルの電波を確認し、当該無線チャンネルでの前記受信動作で正しくデータを読み取れなかった状況が発生した場合の当該状況の発生回数を記憶し、記憶された前記発生回数に基づいて前記無線チャンネルが設置場所として環境的に適合しているかを所定間隔毎に判断することを特徴とする無線テレメータシステム。
【請求項２】
前記無線子機は、ある特定の前記無線チャンネルを不適合であると判断した場合、当該無線チャンネルが不適合である旨を記述した第１通知電文を生成し、当該第１通知電文を前記無線親機に送信することを特徴とする請求項１に記載の無線テレメータシステム。
【請求項３】
前記無線親機は、前記無線子機からの前記第１通知電文を受信することに応じて、設定可能な全無線チャンネルから不適合とされた当該無線チャンネルを除き、前記無線通信のための新たな無線チャンネルの設定を行うと共に当該設定内容を記述した設定電文を生成し、当該設定電文を全ての前記無線子機に送信することを特徴とする請求項２に記載の無線テレメータシステム。
【請求項４】
前記無線子機は、ある特定の前記無線チャンネルを不適合であると判断した場合、当該無線チャンネルが不適合である旨、及び設定可能な全ての前記無線チャンネルの受信強度を一定期間測定した測定値を記述した第２通知電文を生成し、当該第２通知電文を前記無線親機に送信することを特徴とする請求項１に記載の無線テレメータシステム。
【請求項５】
前記無線親機は、前記無線子機からの前記第２通知電文を受信することに応じて、設定可能な全無線チャンネルから不適合とされた当該無線チャンネルを除き、前記電波強度の前記測定値から電波の空き状態が最も多いものを前記無線通信のための新たな無線チャンネルに設定すると共に当該設定内容を記述した設定電文を生成し、当該設定電文を全ての前記無線子機に送信することを特徴とする請求項４に記載の無線テレメータシステム。
【請求項６】
前記無線親機は、前記無線子機からの前記第２通知電文を受信する度に電波強度値を随時記憶し、新たな無線チャンネルの設定が必要な場合には、今まで記憶された前記電波強度値を考慮した上で前記電波強度値から総合的に電波の空き状態が最も多いものを前記新無線チャンネルに設定すると共に当該設定内容を記述した設定電文を生成し、当該設定電文を全ての前記無線子機に送信することを特徴とする請求項４に記載の無線テレメータシステム。
【請求項７】
前記無線親機は、当該無線親機がある特定の前記無線チャンネルを不適合であると判断した場合、他の設定可能な前記無線チャンネルの電波強度を一定期間測定し、前記電波強度の測定値から電波の空き状態が最も多いものを前記無線通信のための新たな無線チャンネルに設定すると共に当該設定内容を記述した設定電文を生成し、当該設定電文を全ての前記無線子機に送信することを特徴とする請求項１に記載の無線テレメータシステム。
【請求項８】
前記無線親機は、当該無線親機がある特定の前記無線チャンネルを不適合であると判断した場合、前記各無線チャンネルの電波強度値を随時記憶し、新たな無線チャンネルの設定が必要な場合には、今まで記憶された前記電波強度値を考慮した上で前記電波強度値から総合的に電波の空き状態が最も多いものを前記新無線チャンネルに設定すると共に当該設定内容を記述した設定電文を生成し、当該設定電文を全ての前記無線子機に送信することを特徴とする請求項１に記載の無線テレメータシステム。
【請求項９】
センター網制御装置に電話網を介して接続された端末網制御装置と、前記端末網制御装置に有線接続された無線親機と、無線子機に有線接続されたメータとによって構成され、前記無線親機と前記無線子機は特定小電力無線方式の無線通信を行い、無線通信の待機時に省電力のために間欠的な受信動作を行う無線テレメータシステムにおいて、
前記無線親機又は前記無線子機は、前記待機時にあるときに目的の無線チャンネルの電波を確認するチャンネル確認手段、当該無線チャンネルで正しくデータを読み取れるか否かを判定する受信動作判定手段、前記データを読み取れなかった状況の発生回数を記憶する発生回数記憶手段、及び所定間隔毎に作動し且つ記憶された前記発生回数に基づいて前記無線チャンネルが設置場所として環境的に適合しているかを判断する適合性判断手段、を備えた制御手段を有することを特徴とする無線テレメータシステム。
【発明の詳細な説明】
【技術分野】
【０００１】
本発明は、無線テレメータシステムに関し、特に、センター網制御装置に電話網を介して接続された端末網制御装置と、端末網制御装置に有線接続された無線親機と、無線子機に有線接続されたメータとによって構成され、無線親機と無線子機は特定小電力無線方式の無線通信を行い、無線通信の待機時に省電力のために間欠的な受信動作を行う特定小電力無線テレメータシステムに関する。
【背景技術】
【０００２】
無線テレメータシステムにおいて、一般的に無線親機（以下、「親機」という。）と各無線子機（以下、「子機」という。）は、予め設定された無線チャンネル（以下、この欄においてチャンネルを「ＣＨ」と略記する。）にて通信を行うが、その際に、１ＣＨのみ設定されるシステムと、複数ＣＨが設定されるシステムとがある。前者は、設定された１ＣＨが他で使用されていると通信不可となる。後者においては、ある１ＣＨが他に使用されていたとしても他方の空きＣＨで通信ができることから、通信の信頼性としては前者よりも後者のほうが高い。後者の例として、妨害電波を受信した場合に、それに対応して、センター装置、無線親機及び無線子機間で受信チャンネルを変更する処理をすることが提案されている（特許文献１参照）。
【０００３】
無線テレメータシステムでは、無線の受信待機時には間欠動作、即ち、間欠的に受信待機動作を行うことで電池の長寿命化を実現しているものが多い。しかしながら、後者のような複数ＣＨのシステムでは、間欠的な受信待機動作において複数ＣＨのスキャンを行う必要が生じ、受信の動作時間が延びてしまう。したがって、後者の複数ＣＨシステムでは前者の１ＣＨシステムと比べ電池寿命が短くなる。このような特徴を踏まえた上で、設定すべき無線通信ＣＨを１ＣＨのシステムとするか或いは複数ＣＨのシステムとするかの判断は、従来では、設置時点での環境条件から作業者の経験で決定し、設定されていた。
【０００４】
上記のように無線ＣＨの設定を従来の方法で行う限りにおいては、無線環境は経年変化しやすいため、時間が経過するとともに通信の信頼性が低下することや、電池寿命が極端に短いものが現れること、という問題点があった。
【特許文献１】特開２００６−２４５６６５号公報
【発明の開示】
【発明が解決しようとする課題】
【０００５】
そこで、従来の無線テレメータシステムにおいては、通信の信頼性の低下や電池寿命の極端な短期化という問題点があるとの認識に立って、目的の無線チャンネルの電波状態に基づいて無線チャンネルが設置場所として環境的に適合しているかを判断することを図る点で解決すべき課題がある。
【０００６】
この発明の目的は、目的の無線チャンネルの電波状態に基づいて当該無線チャンネルが設置場所として環境的に適合していない場合には無線環境の変化に合わせた新無線チャンネルを設定可能とすることで、信頼性が高く且つ電池寿命を極端に短くすることのない無線テレメータシステムを提供することである。
【課題を解決するための手段】
【０００７】
上記課題を解決し、上記目的を達成するために、本発明による無線テレメータシステムは、センター網制御装置に電話網を介して接続された端末網制御装置と、前記端末網制御装置に有線接続された無線親機と、無線子機に有線接続されたメータとによって構成され、前記無線親機と前記無線子機は特定小電力無線方式の無線通信を行い、無線通信の待機時に省電力のために間欠的な受信動作を行う無線テレメータシステムにおいて、前記無線親機又は前記無線子機は、前記待機時に、目的の無線チャンネルの電波を確認し、当該無線チャンネルでの前記受信動作で正しくデータを読み取れなかった状況が発生した場合の当該状況の発生回数を記憶し、記憶された前記発生回数に基づいて前記無線チャンネルが設置場所として環境的に適合しているかを所定間隔毎に判断することを特徴としている。
【０００８】
この無線テレメータシステムによれば、無線親機又は無線子機が、待機時に目的の無線チャンネルの電波を確認し、当該設定の無線チャンネルの電波が間欠の受信動作にて電波の確認はできたが当該無線チャンネルでの受信動作で正しくデータを読み取れなかった状況が発生した場合には、その当該状況の発生回数を記憶し、そうして記憶した情報から設定チャンネルの対環境性が判断される。無線通信状態が不具合となる状況が頻繁に生じていれば、対環境性が良好ではないと判断される。
【０００９】
この無線テレメータシステムにおいて、前記無線子機は、ある特定の前記無線チャンネルを不適合であると判断した場合、当該無線チャンネルが不適合である旨を記述した第１通知電文を生成し、当該第１通知電文を前記無線親機に送信することができる。即ち、無線子機は、設定された無線チャンネルが不適合、換言すれば対環境性が悪いと判断した場合は、無線親機にその旨を知らす電文を送信する手段を備えることができる。無線親機は、この第１通知電文を受信することによって、対策を立てることを可能にしている。
【００１０】
無線子機からの第１通知電文が無線親機に送信される無線テレメータシステムにおいて、無線子機から第１通知電文を受信した無線親機は、不適合とされた当該無線チャンネル以外の他の新たな無線チャンネルの設定を行うと共に当該設定内容を記述した設定電文を生成し、当該設定電文を全ての前記無線子機に送信することができる。即ち、設定無線チャンネルが不適切である旨の通知を受けた無線親機は、新しい無線チャンネルを設定する手段と、その設定内容を記述した電文をすべての無線子機に送信する手段とを備えているので、無線親機と無線子機は、その新しい無線チャンネルによって、対環境性が良好な状況で特定小電力無線方式の無線通信を行うことができる。
【００１１】
この無線テレメータシステムにおいて、ある特定の前記無線チャンネルを不適合であると判断した場合、当該無線チャンネルが不適合である旨、及び設定可能な全ての前記無線チャンネルの受信強度を一定期間測定した測定値を記述した第２通知電文を生成し、当該第２通知電文を前記無線親機に送信することができる。この無線テレメータシステムによれば、無線子機は、設定可能な無線チャンネルの電波強度を測定する手段を備えているので、設定可能な全ての無線チャンネルの受信強度を一定期間測定し、不適合な無線チャンネルとともに測定値を記述した第２通知電文を生成し無線親機に通知することができる。
【００１２】
更に、第２通知電文を生成しそれを無線親機に送信する無線テレメータシステムにおいて、前記無線親機は、前記無線子機からの前記第２通知電文を受信することに応じて、設定可能な全無線チャンネルから不適合とされた当該無線チャンネルを除き、前記電波強度の前記測定値から電波の空き状態が最も多いものを前記無線通信のための新たな無線チャンネルに設定すると共に当該設定内容を記述した設定電文を生成し、当該設定電文を全ての前記無線子機に送信することができる。また、前記無線親機は、前記無線子機からの前記第２通知電文を受信する度に電波強度値を随時記憶し、新たな無線チャンネルの設定が必要な場合には、今まで記憶された前記電波強度値を考慮した上で前記電波強度値から総合的に電波の空き状態が最も多いものを前記新無線チャンネルに設定すると共に当該設定内容を記述した設定電文を生成し、当該設定電文を全ての前記無線子機に送信することができる。即ち、これらの無線テレメータシステムにおいては、無線子機又は無線親機は、おのおのの設置場所で自身が設定可能な無線チャンネルの電波測定を行うことにより、自身が通信するのに影響を受けやすい無線チャンネル（一時的な雑音や違法電波などによる混信がされにくい（空き状態）無線チャンネル）を知ることができるため、対環境性が悪いとした設定無線チャンネルとその周辺の電波測定値から電波の空き状態が最も多い、換言すれば、影響が最も少ないという観点で最適な無線チャンネルを選択する手段を備えている。その最適な無線チャンネルを新たな無線チャンネルに設定すると共に当該設定内容を記述した設定電文を生成し、当該設定電文を全ての前記無線子機に送信することで、無線親機と無線子機は、その新しい最適な無線チャンネルで特定小電力無線方式の無線通信を行うことができる。
【００１３】
更に、この無線テレメータシステムにおいて、前記無線親機は、当該無線親機がある特定の前記無線チャンネルを不適合であると判断した場合、他の設定可能な前記無線チャンネルの電波強度を一定期間測定し、前記電波強度の測定値から電波の空き状態が最も多いものを前記無線通信のための新たな無線チャンネルに設定すると共に当該設定内容を記述した設定電文を生成し、当該設定電文を全ての前記無線子機に送信することができる。また、前記無線親機は、当該無線親機がある特定の前記無線チャンネルを不適合であると判断した場合、前記各無線チャンネルの電波強度値を随時記憶し、新たな無線チャンネルの設定が必要な場合には、今まで記憶された前記電波強度値を考慮した上で前記電波強度値から総合的に電波の空き状態が最も多いものを前記新無線チャンネルに設定すると共に当該設定内容を記述した設定電文を生成し、当該設定電文を全ての前記無線子機に送信することができる。この無線テレメータシステムによれば、無線親機がある特定の無線チャンネルを不適合であると判断した場合、無線子機からの対環境性が悪い旨の電文受信したときには、その都度に無線チャンネルの電波強度の測定値を随時蓄積し、更に他の無線子機から無線チャンネルが対環境性において悪いことを示す電文を受信した場合には、蓄積データも考慮に入れて最適な無線チャンネルの設定を行う手段を備えているので、蓄積データも考慮に入れて最適な新しい無線チャンネルで再度の設定を行うことができる。
【００１４】
更にまた、この無線テレメータシステムは、センター網制御装置に電話網を介して接続された端末網制御装置と、前記端末網制御装置に有線接続された無線親機と、無線子機に有線接続されたメータとによって構成され、前記無線親機と前記無線子機は特定小電力無線方式の無線通信を行い、無線通信の待機時に省電力のために間欠的な受信動作を行う無線テレメータシステムにおいて、前記無線親機又は前記無線子機は、前記待機時にあるときに目的の無線チャンネルの電波を確認するチャンネル確認手段、当該無線チャンネルで正しくデータを読み取れるか否かを判定する受信動作判定手段、前記データを読み取れなかった状況の発生回数を記憶する発生回数記憶手段、及び所定間隔毎に作動し且つ記憶された前記発生回数に基づいて前記無線チャンネルが設置場所として環境的に適合しているかを判断する適合性判断手段、を備えた制御手段を有する。
【発明の効果】
【００１５】
本発明による無線テレメータシステムによれば、電池動作で駆動する無線テレメータシステムにおいて、電池寿命を極端に短くすることなく無線環境の変化に追随するように無線チャンネルの設定を行う。即ち、無線環境は経年変化しやすいという実情があっても、時間が経過しても無線親機と無線子機との間で無線通信が可能であり、しかも電池寿命が極端に短いものが現れることを防止して、常に信頼性の高い無線テレメータシステムを提供することができる。
【発明を実施するための最良の形態】
【００１６】
以下、本発明による無線テレメータシステムの実施形態を、図面を用いて詳細に説明する。図１は、本発明の無線テレメータシステムの一例を示す概略図である。図１に示すように、無線テレメータシステムは、ホストコンピュータ１と、センター網制御装置２と、端末網制御装置４と、無線親機（以下、「親機」という。）５と、複数の無線子機（以下、「子機」という。）６と、複数のメータ７とを備えている。
【００１７】
ホストコンピュータ１に接続されたセンター網制御装置２は、電話網の電話回線３を介して端末網制御装置４に接続されており、端末網制御装置４は親機５に対して有線回線によって接続されている。親機５は、複数の子機６との間で、無線によりデータ通信が可能である。各メータ７は、それぞれ子機６に有線回線によって接続されており、これらのメータ７は例えば電気、ガス、水道用のマイクロコンピュータを搭載したメータである。
【００１８】
図２（Ａ）は、親機５の構成を示すブロック図であり、図２（Ｂ）は、子機６の構成を示すブロック図である。図２（Ａ）に示すように、親機５は、アンテナ１０、無線通信ユニット１１、ＣＰＵ（制御手段）１２、端末網制御装置Ｉ／Ｆ（インターフェース）１３、ＲＯＭ（リードオンリーメモリ）１４、ＲＡＭ（ランダムアクセスメモリ）１５、電池１６、データ登録用の不揮発性メモリ１７を有している。
【００１９】
図２（Ｂ）に示すように、子機６は、アンテナ１８、無線通信ユニット１９、ＣＰＵ（制御手段）２０、メータセンサＩ／Ｆ（インターフェース）２１、ＲＯＭ（リードオンリーメモリ）２２、ＲＡＭ（ランダムアクセスメモリ）２３、電池２４、データ登録用の不揮発性メモリ２５を有している。メータセンサＩ／Ｆ２１は、図１に示すメータに接続されている。
【００２０】
親機５及び子機６の無線における対環境性を判断する方法の一例として、図３に示すフロー図について説明する。
先ず、予め設定された目的の無線チャンネル（以下、実施例の欄において「チャンネル」を「ＣＨ」と略す。）の電波強度が一定以上の強さであるか否かを親機５又は子機６が確認（ステップ３０１、「Ｓ３０１」と略す。以下、同じ。）する。Ｓ３０１において、電波強度が一定以上あったと確認された場合には、目的の無線ＣＨの電波ありと判断して、受信データの解析（Ｓ３０２）を行う。解析結果の正常・異常が判定され（Ｓ３０３）、受信データが自らのシステムのデータフォーマットに合致しないときやエラーチェックにてエラーと判断されたときのように、Ｓ３０３の解析結果が異常と判定される場合には、異常データの受信と判断して、その無線ＣＨと異常データの受信回数を示すカウンタをカウントアップし蓄積する（Ｓ３１２）。
【００２１】
蓄積しているカウンタが一定回数以上になったか否かを判定し（Ｓ３１３）、蓄積カウンタが一定回数以上である場合にはその無線ＣＨが使用環境に不適合であると判断し、対応する処理を行う（Ｓ３１４）。Ｓ３１３の判定において、蓄積カウンタが一定回数未満である場合には、定期的（タイムアウトの判定：Ｓ３１５）にカウンタをクリアする処理を行う（Ｓ３１６）。このように、一定間隔毎にカウンタをクリアして後、カウンタの蓄積・判定を繰り返して行うので、設置されてからの累計時間とは関係しない無線ＣＨの対環境性を判定することができる。
【００２２】
Ｓ３０３の解析結果が正常と判定される場合には、通信が開始され（Ｓ３０４）、返信（送信）が行われる（Ｓ３０５）。返信（送信）の結果、目的の電波が確認されたか否かが判定され（Ｓ３０６）、目的の電波が確認された場合には受信データの解析が行われる（Ｓ３０７）。受信データの解析結果が正常であるか異常であるかが判定され（Ｓ３０８）、解析結果が正常であれば、通信終了か否かが判定される（Ｓ３１０）。通信終了でない場合には返信（送信）がされ（Ｓ３１１）、Ｓ３０６に戻る。Ｓ３１０の判定で通信終了である場合には正常終了し（Ｓ３１８）、Ｓ３０１に戻る。Ｓ３０６の判定において目的の電波の確認ができない場合、及びＳ３０８における解析結果の判定において異常と判定される場合には、タイムアウトか否かが判定され（Ｓ３１７）る。タイムアウトの場合にはＳ３０１に戻り、そうでない場合にはＳ３０６に戻る。即ち、本無線テレメータシステムは、電池動作であることから省電力化を行うため無線の待機時には間欠的に受信動作を行う間欠受信動作を行っている。一方で、無線親機−子機間では定められたネゴシエーションに多くの時間が費やされるが、結果リンクが確立すると連続的な受信動作モードとなるため、以降迅速な通信が可能となる。目的の電波の確認と、目的電波の確認をしたときでも解析結果の判断とで、リンク状態を継続するか間欠受信動作に戻るかを条件付けている。
【００２３】
一般的に無線の対環境性は、設置場所により異なる。この現象は、無線通信を妨害する主原因から設置場所までの距離によって、その妨害の影響度合いが異なるためである。つまり、設置場所が異なる親機５と各子機６では対環境性が異なるため、ある子機６は２ＣＨで対環境性が悪くても親機５側では３ＣＨが悪く、２ＣＨは問題ないと判断されるような状況が存在することが知られている。
【００２４】
親機５と子機６とが無線通信を行うためには、互いに共通する無線ＣＨが必要になる。子機６が現在使用している無線ＣＨを対環境性が悪いと当該子機６が判断した場合には、図４のように子機６はそのＩＤと対環境性が悪いと判断した無線ＣＨを示したデータ部とで構成された電文を親機５に送信する。図４の電文を受信した親機５は、不適とした無線ＣＨを除き、新たな無線ＣＨを設定し図５の電文を、全子機を対象に送信をする。
【００２５】
例えば、設定可能ＣＨが「１，２，３，４，５，６」とし、親機５とすべての子機６との通信ＣＨが１，２ＣＨであった場合、ある子機６の設置場所において２ＣＨで対環境性が悪いとき、不適とした無線ＣＨが２ＣＨであるとする旨の図４で示されるフォーマットで記述された電文を親機５に送信する。その電文を受信した親機５は、残りの設定可能ＣＨ（３，４，５，６）から新しいＣＨ設定を行う。ここでは新しく設定するＣＨを３ＣＨとする。親機５は、前設定ＣＨを２ＣＨとし新設定ＣＨを３ＣＨとする旨の図５で示されるフォーマットで記述された電文を、全子機６に対して送信する。
【００２６】
更に２ＣＨを対環境性が悪いと判断した子機６は、設定可能なＣＨ（１，２，３，４，５，６）について受信強度を一定期間測定し、その測定値から図６の電文を構成し、親機５へ送信する。ここで、図６の電文例では、不適とした無線ＣＨを２ＣＨとし、１ＣＨの受信感度の測定値を３０、２ＣＨを１５０、３ＣＨを１５０、４ＣＨを２００、５ＣＨを２０、６ＣＨを５０としている。ここで受信感度は、一般的に電圧変換が可能であるためＣＰＵ２０は自身のＡ／Ｄ機能により各測定値を容易に求めることができる。図６の電文を受信した親機５は、新たな無線ＣＨの設定において各ＣＨの受信感度の測定値を参照する。
【００２７】
本例では測定値が低いほど電波強度が低い、即ち電波が空き状態であり、５ＣＨが一番空き状態にあると判断され新たな設定ＣＨとする。そこで親機５は、前設定を２ＣＨ、新設定を５ＣＨとする旨の図５に示すフォーマットで記述された電文を全子機６に送信するとすればより最適な無線ＣＨを設定できることになる。
【００２８】
また、親機５自身においても使用している無線ＣＨの対環境性が悪いと判断した場合は、他の設定可能ＣＨの電波強度を子機６と同様な方法にて測定し、電波が最も空き状態になっているＣＨを新たな設定ＣＨとして選択して図５に示すフォーマットで記述された電文を全子機５に送信するとすれば、親機５側により最適な環境が提供できることになる。
【００２９】
加えて親機５は、子機６から受信した図６の電文の受信感度データや自身が測定した受信感度データを記憶しておき、新たな無線ＣＨの設定が必要とされる場合に、記憶していたデータから過去に不適合とした無線ＣＨ以外で、総合的に無線の空き状態の多いＣＨを設定するとすれば、より効率的な無線ＣＨの設定が可能となる。例えば、親機５と子機６間で無線ＣＨとして１，２ＣＨを使用していたが、ある子機６から２ＣＨが不適である電文を受信時に図７に示すような各無線ＣＨの受信感度の測定値の情報を入手した親機５は新たな無線設定ＣＨを３ＣＨとし、全子機６に新たに設定したとする。
【００３０】
その後に親機５は、別の子機６から３ＣＨを不適とした電文を受信すると同時に図８に示す情報を受信したとすると、記憶していた図７に示す情報と図８に示す情報との和から『４ＣＨ＜５ＣＨ＜６ＣＨ』の結果を得て新たな設定ＣＨとしては４ＣＨを設定する。
【００３１】
更にその後に親機自身で４ＣＨが不適とした場合には、記憶している図７、図８と新たに取得した図９の情報の和から『５ＣＨ＜６ＣＨ』の結果を得て５ＣＨへの変更を行うとすれば、新たに設定するＣＨはシステムとして最適な無線環境が良いものの選択が可能となる。
【００３２】
この無線テレメータシステムの無線親機又は無線子機のＣＰＵ１２，２０には、図１０に示すように、待機時にあるときに目的の無線チャンネルの電波を確認するチャンネル確認手段３０、当該無線チャンネルで正しくデータを読み取れるか否かを判定する受信動作判定手段３１、データを読み取れなかった状況の発生回数を計数するデータ読み取り不可発生回数計数手段３２、当該読み取り不可発生回数を記憶する発生回数記憶手段３３、及び所定間隔毎に作動し且つ記憶された発生回数に基づいて無線チャンネルが設置場所として環境的に適合しているかを判断する環境適合性判断手段３４が備わっている。無線親機のＣＰＵ１２は、更に、無線子機からの第２通知電文に記載されている電波受信強度の測定値を記憶する電波強度値記憶手段３７と、環境適合性判断手段３４又は電波強度値記憶手段３７からの情報に基づいて新しい無線チャンネルを設定する新無線チャンネル設定手段３５と、新無線チャンネル設定手段３５が設定した新チャンネルを無線送受信ユニット１１によって無線子機に通知するための設定電文を作成する設定電文作成手段３６を有する。無線子機のＣＰＵ２０は、更に、当該無線子機が無線チャンネルが不適合であると判定したときのその無線チャンネルを記載した第１通知電文を作成する第１通知電文作成手段３８と、不適合な無線チャンネルとともに設定可能な全ての無線チャンネルの受信強度の測定値を記述した第２通知電文を作成する第２通知電文作成手段３９を有している。両通知電文作成手段３８，３９が作成した通知電文は、無線送受信ユニット１９によって無線親機に通知される。
【図面の簡単な説明】
【００３３】
【図１】本発明の実施形態にかかる無線テレメータシステムのシステム図である。
【図２】本発明の実施形態にかかる無線親機と無線子機のブロック図である。
【図３】本発明の実施形態にかかる無線親機及び無線子機の無線における対環境性を判断するフロー図である。
【図４】本発明の実施形態にかかる無線子機から無線親機へ無線の対環境性を通知する電文フォーマットを示す図である。
【図５】本発明の実施形態にかかる無線親機から無線子機へ無線チャンネル変更を通知する電文フォーマットを示す図である。
【図６】本発明の実施形態にかかる無線子機から無線親機へ無線の対環境性を詳細に通知する電文フォーマットを示す図である。
【図７】無線の受信強度を示すデータ例１である。
【図８】無線の受信強度を示すデータ例２である。
【図９】無線の受信強度を示すデータ例３である。
【図１０】本発明の実施形態にかかる無線親機と無線子機のＣＰＵのブロック図である。
【符号の説明】
【００３４】
１  ホストコンピュータ                ２  センター網制御装置
３  電話回線                          ４  端末網制御装置
５  親機                              ６  子機
７  メータ
１０  アンテナ                        １１  無線通信ユニット
１２  ＣＰＵ（中央処理装置）
１３  端末網制御装置と接続のためのＩ／Ｆ（インターフェース）
１４  ＲＯＭ（リードオンリーメモリ）
１５  ＲＡＭ（ランダムアクセスメモリ）
１６  電池
１７  不揮発性メモリ
１８  アンテナ
１９  無線通信ユニット
２０  ＣＰＵ（中央処理装置）
２１  メ−タやセンサーと接続のためのＩ／Ｆ（インターフェース）
２２  ＲＯＭ（リードオンリーメモリ）
２３  ＲＡＭ（ランダムアクセスメモリ）
２４  電池
２５  不揮発性メモリ
３０  チャンネル確認手段            ３１  受信動作判定手段
３２  データ読み取り不可発生回数計数手段  ３３  発生回数記憶手段
３４  環境適合性判断手段            ３７  電波強度値記憶手段
３５  新無線チャンネル設定手段      ３６  設定電文作成手段
３８  第１通知電文作成手段          ３９第２通知電文作成手段
【図１】
2008205952.tif 000003
【図２】
2008205952.tif 000004
【図３】
2008205952.tif 000005
【図４】
2008205952.tif 000006
【図５】
2008205952.tif 000007
【図６】
2008205952.tif 000008
【図７】
2008205952.tif 000009
【図８】
2008205952.tif 000010
【図９】
2008205952.tif 000011
【図１０】
2008205952.tif 000012